(57)【要約】【課題】長さを簡単にそして素早く調節することができ、露出した末尾部による干渉をなくし、使用材料を減らし製造コストを下げることができるストラップの調節機構を提供する。【解決手段】調節機構２は位置決め装置２３、軸２５と、ストラップ２１の表面に形成された複数の雌留め具２７からなる。位置決め装置２３は基板２３０と位置決め装置２３に軸支された雄留め具２３１からなる。雄留め具２３１はまたストラップ２１の端部２１３に位置する。位置決め装置２３に対して軸２５が配置される。これにより当該ストラップ２１は位置決め装置２３の底部２３０１と雄留め具２３１との間を通り、軸２５を介して折り返される。雄留め具２３１は雌留め具２７と着脱可能なように係合するよう作られ、それにより位置決め装置２３と軸２５との距離が調節可能となる。【選択図】図２
0003146555.tif 000002
【実用新案登録請求の範囲】
【請求項１】
端部を有する本体を含むストラップのための調節機構であって、
基板と当該基板に軸支された雄留め具を有する位置決め装置と、
前記位置決め装置に対して設けられた軸と、
前記本体の表面上に形成された複数の雌留め具とからなるものにおいて、
前記本体は前記位置決め装置の前記基板と前記雄留め具との間を通って延び、前記軸を介して折り返され、前記ストラップの前記本体はその前記端部で前記雄留め具と接続し、前記雄留め具は少なくとも前記雌留め具の一と着脱可能に係止するよう作られ、それにより前記位置決め装置と前記軸とで規定される距離が調整可能であることを特徴とする調節機構。
【請求項２】
前記ストラップは弾性を有する材料からなり、それにより前記ストラップは前記雄留め具が前記雌留め具の少なくとも一に係止したときに、きつく伸ばすことができることを特徴とする請求項１に記載の調節機構。
【請求項３】
前記雄留め具は押部、係止部と、前記押部と前記係止部との間に配置された回転軸を有し、前記雄留め具は前記基板上の前記回転軸により軸支され、前記係止部は前記雌留め具の少なくとも一に係止でき、それにより前記押部が下方向の力で押されたとき、前記雄留め具は係止した前記雌留め具から分離するよう前記回転軸の周りに回転可能であることを特徴とする請求項２に記載の調節機構。
【請求項４】
前記雌留め具は、前記ストラップの表面上に連続して形成され、前記位置決め装置が前記軸への方向ではなく前記軸から遠ざかる方向へ移動するような爪型の形状で形作られることを特徴とする請求項３に記載の調節機構。
【請求項５】
前記本体の前記端部は係止開口部を有し、前記本体の前記端部と結合するよう、前記雄留め具の前記押部が当該開口部に挿入されることを特徴とする請求項３に記載の調節機構。
【請求項６】
前記基板は底部と当該底部からのびる二つの対向する側壁とを有し、前記底部と、前記側壁と、前記雄留め具とにより前記本体が通るための収容空間が形作られることを特徴とする請求項３に記載の調節機構。
【請求項７】
前記各側壁は互いに対抗する軸穴を有し、前記雄留め具の前記回転軸が当該軸穴に軸支されることを特徴とする請求項６に記載の調節機構。
【請求項８】
前記基板はさらに前記側壁の間に連結された棒を有し、前記本体は前記雄留め具の前記押部とその端部で結合し、さらに当該棒を経て前記軸に延びることを特徴とする請求項６に記載の調節機構。
【請求項９】
前記雌留め具は前記ストラップの表面上に連続的に形成された凹みまたは穴で形作られることを特徴とする請求項３に記載の調節機構。
【請求項１０】
前記弾性を有する材料はシリコンまたはゴムのいずれか一つであることを特徴とする請求項２に記載の調節機構。
【考案の詳細な説明】
【技術分野】
【０００１】
本考案はストラップの調節機構に関し、特にストラップの締まり具合を調節するための機構に関する。
【背景技術】
【０００２】
ストラップは締める必要のある器具に広く用いられる。これらのストラップは通常固定のための各種目的に応じて、長さと締まり具合の両者が調節できて、量産されるダイビングマスク、スポーツマスクに用いられる。マスクを装着するにははじめマスクを頭周りに着け、それからマスクをしっかり固定するためにストラップを調節する。しかし、従来のストラップとその調節機構は通常、構造がとても複雑で操作しにくく、使用者にとってかなり不便である。
【０００３】
従来技術のダイビングマスクが図１に示される。ダイビングマスク１はマスク１０、ストラップ１１、調整器具１３と、一対の保持具１５とからなる。ストラップ１１はマスク１０の両脇を通って折り返される。ダイビングマスク１を頭にしっかり固定するためストラップ１１の長さを調節するときは、使用者はストラップ本体１１１を緩めるため調整具１３の脇にある解除ボタン１３１を押さなければならない。ストラップ１１が適切な長さに調節されたときは解除ボタン１３１を放し調整器具１３とストラップ１１の本体１１１とが互いに固定される。最後に保持具１５がストラップ１１の二つの末尾部１１３に被さる。このようにしてストラップ１１の全長を使用者の頭の大きさに合うように調整することができ、マスク１０が頭の適切な位置に固定される。
【０００４】
【特許文献１】米国特許第５８１３０５６号明細書
【考案の開示】
【考案が解決しようとする課題】
【０００５】
しかしながら従来技術のストラップ１１は次のような不具合があった。第一にストラップ１１の長さがどのように調整されても、末尾部１１３はストラップ１１の両脇に露出する。従来技術では末尾部１１３は単に保持具１５で留められる。しかしこのような留め方は不安定である。さらに詳しくは、使用者がストラップ１１の長さを調節するために末尾部１１３を引っ張ると保持具１５の位置は簡単に動いてしまい、末尾部１１３がさらに露出する。それ故使用者がダイビングのためにダイビングマスク１を装着したとき末尾部１１３が波間に漂うために使用者にとって末尾部１１３は相当邪魔になる。使用者にとっては末尾部１１３を括るために保持具１５を調節するのは難しい。第二に従来技術のダイビングマスク１は複雑な構成なため、使用者にとってダイビングマスク１をつけたり脱いだりするときに調整器具１３と保持具１５とを調整するのは煩わしい。
このようなことから、使用者にとりさらに便利なものとするためストラップ本体を調節するための構造を簡単化することが強く望まれている。
【課題を解決するための手段】
【０００６】
本考案の一の目的は、マスクを着けたり外したりする際に操作性を向上させて、使用する者がストラップの長さを簡単にそして素早く調節することができるストラップの調節機構を提供することである。
【０００７】
本考案の他の目的は、ストラップ本体の露出した末尾部と保持具とをなくしたストラップの調節機構を提供することである。ストラップ本体の露出した末尾部と保持具とをなくすことで、露出した末尾部による干渉をなくし、使用材料を減らし製造コストを下げることができる。
【０００８】
本考案はストラップの調節機構を提供する。ストラップは端部を持つ本体を有する一方、調節機構は位置決め装置、軸および複数の雌留め具からなる。位置決め装置は基板と基板に回転軸支された雄留め具を有する。軸は位置決め装置に対するように配置される。複数の雌留め具は本体の表面上に設けられる。本体は位置決め装置の基板と雄留め具との間を通って延び、軸を介して折り返される。ストラップの本体はその端部が雄留め具に繋がっており、位置決め装置と軸との間の距離は調整できるよう、雄留め具は雌留め具の少なくとも一つに、着脱可能なように係止される。
【０００９】
本考案に採用された詳細な技術と好ましい実施例は、当業者にとって実用新案登録請求の範囲に記載の考案の特徴がよく理解されるよう、以下に図面とともに記載される。
【考案を実施するための最良の形態】
【００１０】
以下の説明では、本件考案がその実施例により説明される。しかしながらこれらの実施例は本件考案をこれら実施例で説明されるいかなる特定の意味、応用あるいは特別な方法に限定するよう意図したものではない。従って、これら実施例の説明は限定というより解説の目的のためだけにある。以下の実施例と添付図面において、本考案に直接関係しない要素は描写されていない。
【００１１】
本件考案の好ましい実施例は図２乃至図５に描かれている。図２は本考案のストラップ２１の調節機構２の分解部品配列図であって、図３はストラップ２１の側面図である。ストラップ２１は本質的には本体２１１を有し、好ましくは弾力性のあるシリコンやゴムのような材料から作られる。本体２１１は係止開口部２１５が形成された端部２１３を有する。図４に示すように本件考案の調節機構２は位置決め装置２３、軸２５と複数の雌留め具２７とからなる。ストラップ２１は調節機構２の位置を変えることにより長さを調節し固定することができる。
【００１２】
更に詳細には、位置決め装置２３は基板２３０とその基板２３０に回転軸支された雄留め具２３１とを有する。図２に示すように本実施例の基板２３０は底部２３０１とその底部２３０１から延びる二つの対向する側壁２３０３を有する。側壁２３０３の各々は、基板２３０上で雄留め具２３１の回転軸２３１５を軸支するため、お互いに対向する軸穴２３０７を有する。雄留め具２３１が基板２３０上に軸支されると、底部２３０１、側壁２３０３及び雄留め具２３１により、本体２１１が通るための収容空間２３０５が形作られる。基板２３０は更に本体２１１の巻き込みを防ぐため、二つの側壁２３０３の間に連結された棒２３０９を有する。本体２１１はその端部２１３が、棒２３０９を通って位置決め装置２３と反対側にある軸２５に向かって延び、さらに軸２５を介して折り返され、雄留め具２３１により固定される。雄留め具２３１はまた押部２３１１と係止部２３１３を有し、以下にさらに詳しく説明されるように本体２１１の固定と緩みを調節するように作られている。
【００１３】
雌留め具２７は本体２１１の表面上に形成されており、すなわちストラップ２１の表面に連続的に形成された歯あるいは爪状の外形またはストラップ２１の表面に連続的に形成された凹みあるいは穴で規定される。本体２１１の端部２１３は雄留め具２３１の押部２３１１に係止開口部２１５により結合されていて、雄留め具２３１は、位置決め装置２３と軸２５との間で規定される距離が調節可能となるよう移動可能なように、雌留め具２７と係止されるようになる。
【００１４】
図４はさらにストラップ２１の特定の位置に固定された位置決め装置２３の側面図を示す。位置決め装置２３が特定の位置に調節され、雄留め具２３１の係止部２３１３が特定の雌留め具２７に係止されると、位置決め装置２３はストラップ２１上に、ストラップ２１がきつく伸ばされた形で固定される。押部２３１１は本体２１１の端部２１３に結合される形で係止開口部２１５に挿入されている。これに代えて、押部２３１１は端部２１３に接着され、あるいは固着されていてもよい。
【００１５】
上述のような位置決め装置２３が本体２１１に結合される状態は図５に描かれており、その操作については図６乃至図７に描かれている。本体２１１が緩められなければならないときは下方向の力（図６のＦで示された）が押部２３１１に加えられ、回転軸２３１５の周りに雄留め具２３１が回転し、係止していた雌留め具２７から係止部２３１３が離れる。そこで使用者は、図６に矢印Ｌで示したように軸２５に対して適宜位置決め装置２３を動かして調節できる。この結果、ストラップ２１の全体の有効長が増加し、ストラップ２１がきつく締まった状態から緩んだ状態へと変わることになる。前述の実施例において押部２３１１に下方向の力Ｆを加えることは本件考案を限定することを意図するものではない。それに代えて、係止した雌留め具２７から係止部２３１３をはずすために引っ張り力を加えてもよい。当業者であれば、本件考案を限定することなく、本件考案の記載に従ってこのような代替方法を適用するであろう。
【００１６】
図７と図４を参照して、使用者がストラップ２１を締めようとする様子を説明する。使用者が位置決め装置２３を図に示す矢印Ｌ’の方向に引っ張ると、位置決め装置２３は歯あるいは爪の方向性により軸２５への方向ではなく、それから離れる方向に動こうとする。さらに、本体２１１が端部２１３の係止開口部２１５と雄留め具２３１の押部２３１１とにより固定されているので、位置決め装置２３の動きは本体２１１を同時に動かすこととなり、雄留め具２３１の係止部２３１３を特定の雌留め具２７に係止するようにできる。結果として、単に引っ張るだけで本体２１１をきつく伸ばすようにストラップ２１の全体の有効長を短くすることができる。
【００１７】
最後に、図８はダイビングマスクに使用された時の本考案のストラップ２１の概略図である。ダイビングマスク８には調節機構２がマスク８０とともに使われている。軸２５がマスク８０の両側に設けられている。結果として、ダイビングマスク８の使用者はストラップ２１をきつく締めるために位置決め装置２３を引っ張り、あるいはストラップ２１を緩めるために、押部２３１１を開放するために押して位置決め装置２３を調節する。このようにしてストラップの長さを適宜かつ便利に調節できる。ストラップの露出した末尾部をなくすことで、使用時における他のダイビング用具との干渉がなくなる。しかしながら、ダイビングマスクへのストラップの調節機構の応用は単に説明するためであり、本件考案を限定するものではなく、実務上、ストラップの調節機構はまたスポーツや工業生産に使われるような他のマスクにも応用されうることは強調されるべきである。
【００１８】
上述の記載は詳細な技術内容とその創作的特徴に関するものである。当業者であれば記載の考案の開示と示唆に基づき各種の変更と代案を、その特徴から逸脱せず、想起しうるであろう。上記記載にはそのような変更と代案とが十分に記載されていないが、それらは以下の実用新案登録請求の範囲に実質的に含まれる。
【図面の簡単な説明】
【００１９】
【図１】従来技術のダイビングマスクの概略図。
【図２】本考案の調節機構の分解部品配列図。
【図３】本考案のストラップの側面図。
【図４】本考案の調節機構の側面図。
【図５】本考案の調節機構の組み立て図。
【図６】本考案の調節機構の調節過程を示す側面図。
【図７】本考案の調節機構の調節過程を示す概略図。
【図８】本考案の調節機構がダイビングマスクのストラップに使用された時の概略図。
【符号の説明】
【００２０】
２        調節機構              ８        ダイビングマスク
１５      保持具                １３      調整器具
２１      ストラップ            ８０      マスク
２３      位置決め装置          ２５      軸
２７      雌留め具              ２１１    本体  
２１３    端部                  ２１５    係止開口部
２３０    基板                  ２３１    雄留め具
２３０１  底部                  ２３０３  側壁
２３０５  収容空間              ２３０７  軸穴
２３０９  棒                    ２３１１  押部
２３１３  係止部                ２３１５  回転軸
【図１】
0003146555.tif 000003
【図２】
0003146555.tif 000004
【図３】
0003146555.tif 000005
【図４】
0003146555.tif 000006
【図５】
0003146555.tif 000007
【図６】
0003146555.tif 000008
【図７】
0003146555.tif 000009
【図８】
0003146555.tif 000010